(57)【要約】  照明装置が反射器ハウジング（１２）内に収容した多重点光源（２８）を含む。この反射器ハウジング（１２）は、直線光源をエミュレートするためにこれらの点光源（２８）が作った光を拡散する。電源（５０）がこれらの光源を付勢し、熱発生およびエネルギー使用法を制御し、並びに熱的保護をもたらすために設けてある。
2008503068.tif 000002
【特許請求の範囲】
【請求項１】
照明装置であって、
反射器ハウジング、
該反射器ハウジングと作動するように関連する複数の点発光源にして、前記反射器ハウジングが前記複数の点発光源の出した光を反射する発光源、
該点発光源に電気的に結合した電源を含む装置。
【請求項２】
請求項１に記載の装置に於いて、前記反射器が複数の実質的に放物線形の空洞を形成する装置。
【請求項３】
請求項２に記載の装置に於いて、少なくとも一つの点発光源が前記実質的に放物線形の空洞の各々と共に作動するように関連する装置。
【請求項４】
請求項１に記載の装置に於いて、前記反射器が実質的に放物線形の断面を有するチャンネルを形成する装置。
【請求項５】
請求項１に記載の装置に於いて、前記複数の点発光源の各々が半導体光源を含む装置。
【請求項６】
請求項５に記載の装置に於いて、前記半導体光源の各々が発光ダイオードを含む装置。
【請求項７】
請求項１に記載の装置に於いて、前記複数の点発光源が光源の列として配置してある装置。
【請求項８】
請求項１に記載の装置に於いて、前記複数の点発光源が光源の行および列のアレイとして配置してある装置。
【請求項９】
請求項７に記載の装置に於いて、前記光源が電気的に直列に結合してある装置。
【請求項１０】
請求項１に記載の装置に於いて、整流器が前記複数の点発光源と電気的に直列に結合してある装置。
【請求項１１】
請求項１０に記載の装置に於いて、前記整流器がダイオードを含む装置。
【請求項１２】
請求項１に記載の装置に於いて、前記電源が過渡電圧抑制器に電気的に結合した少なくとも一つの抵抗を含む装置。
【請求項１３】
請求項１１に記載の装置に於いて、前記電源が更に熱的保護装置を含む装置。
【請求項１４】
請求項１３に記載の装置に於いて、前記点発光源は、前記点発光源の各々が前記装置に供給される交流電力の交互半サイクルの間付勢するように構成してある装置。
【請求項１５】
請求項１４に記載の装置に於いて、前記点発光源は、隣接する点発光源の対の一方が前記装置に供給される交流電力の交互半サイクルの間付勢し、そして前記隣接する点発光源の対の他方が前記装置に供給される交流電力の前記半サイクルの間付勢しないように構成してある装置。
【請求項１６】
請求項１に記載の装置に於いて、前記点発光源は、前記点発光源の各々が前記装置に供給される交流電力の交互半サイクルの間付勢するように構成してある装置。
【請求項１７】
請求１６項に記載の装置に於いて、前記点発光源は、隣接する点発光源の対の一方が前記装置に供給される交流電力の交互半サイクルの間付勢し、そして、前記隣接する点発光源の対の他方が前記装置に供給される交流電力の上記半サイクルの間付勢しないように構成してある装置。
【発明の詳細な説明】
【技術分野】
【０００１】
（関連出願へのクロスリファレンス）
この出願は、２００４年６月１０日に提出した米国特許仮出願第６０／５７８，５９０号の利益を主張し、その開示を参考までにここに援用する。
【０００２】
本発明は、一般的には電気照明に関し、および、好適実施例では、電気用品用の常用照明に関する。
【背景技術】
【０００３】
現代の電気用品には普通手元灯がある。例えば、冷蔵庫や電子レンジには、ユーザに内容物がよく見えるように典型的な内部照明が付いている。また、現在の冷蔵庫には、屡々ドアパネルの凹所に氷および水小出し装置がある。これらの凹所には典型的に暗くてもこの小出し装置の操作を容易にするためのライトがある。これらのライトは、また常夜灯にも使える。レンジには、ときには常夜灯としての機能も兼ねられるバックライト・コントロールパネルがある。電子オーブン／レンジとフードの組合わせには、普通、下にあるレンジ表面および料理領域を照明するためのフード下照明がある。これらのライトは、常夜灯としても使える。
【０００４】
既知の常用灯は、典型的に従来の白熱光および蛍光照明技術を使う。これらの技術は、よく発達し、多くの利点を有するが、固有の欠点もある。例えば、白熱光照明システムは、ライン電圧で作動できて特別な電源を要しないので低コストという利点を有する。しかし、白熱電球は、典型的に寿命が短くそれで屡々容易には替えられない。また、純粋に抵抗装置として、それらはかなりの熱を出すことがあり、それがその近くの熱に敏感な部品を損傷し且つユーザの快適性を低下することがある。その上、白熱電球は、特にエネルギー効率がよくない。
【０００５】
蛍光灯は、エネルギー効率がよく典型的に低い温度で作動するので、上記の欠点の幾つかを克服する。しかし、それらは、他の欠点があり、多分最も顕著には、安定器および関連する回路装置を含む電源が必要である。これらの部品は、複雑さ、コスト、および重量を増し、且つそれらが他の特徴に利用できるスペースを占める。白熱電球同様、蛍光灯の寿命が限られ、それらも交換が困難なことがある。
【発明の開示】
【発明が解決しようとする課題】
【０００６】
本発明は、好ましくは光分布が均一で、エネルギー効率が高く、寿命が長く、且つ低コストという特性を持つ照明システムを指向する。これらの照明システムは、レンジおよび冷蔵庫のような、電気用品の常用灯として使うために特によく適する。本発明は、独立照明システムとして含む、かなり多数の他の用途に具体化することもできる。
【課題を解決するための手段】
【０００７】
好適実施例で、この発明は、反射器に組込んだ多数の点光源を含む。これらの光源は発光ダイオードであるのが好ましいが、他の光源も同様に使うことができる。例えば、電圧および電流を調整し且つ熱的保護をもたらすために、必要に応じて、電源を含んでもよい。
【実施例】
【０００８】
図１ないし図５は、三つの主なサブコンポーネントまたはサブアセンブリ、即ち、反射器ハウジング１２、光源ボード１４，および電源ボード１６を含む、本発明による常用灯１０の好適実施例を示す。
【０００９】
特に図３Ｂを参照して、反射器ハウジング１２は、全体として放物線断面のチャンネル１８を形成する、側壁３８、４０を有する細長い構造体として具体化してあるのが好ましい（図４および図５も参照）。この構造体は、常用灯１０を所望のどんな長さにも作り、その全長に亘って光強度がほぼ均一になるように、容易に一定の割合で作れる。（図３Ｃは、多重放物線空洞１９を形成する側壁３８Ａ、４０Ａを有する全体として細長い構造体として具体化した、代替反射器ハウジング１２Ａを示す。当業者は分るように、反射器ハウジング１２に関する以下の議論は、代替反射器ハウジング１２Ａにも同等に当てはまる。）好適実施例では、反射器ハウジング１２の内部表面３０（図５参照）が光源２８によってチャンネル１８に導入した光の拡散を促進し（以下に詳しく説明するように）、それでチャンネル１８を出る光は、強度がほぼむらがなく且つ均一である。種々の成形プラスチックおよびレジン、例えば、ポリカーボネートが適当な表面をもたらす。他の実施例では、反射器ハウジング１２の内部表面３０（図５参照）が光をチャンネル１８の周りおよび外に直接反射するように非常によく反射するようにできるが、チャンネル１８を出る光は、同様に強度にむらがないのではなく、局部的“ホットスポット”を示すだろう。反射器ハウジング１２は、ハウジング１２を強化し且つチャンネル１８を形成する側壁３８、４０のつぶれに抗するためにチャンネル１８内に配置した一つ以上の補強リブ３２を含むことができる。反射器ハウジング１２の側壁３８、４０の一つまたは両方は、光源ボード１４を反射器ハウジング１２に組込んだとき、光源２８に十分な隙間を与えるためにスカロップ４８を含むことができる。
【００１０】
反射器ハウジング１２は、電源ボード取付けタブ４２を含むのが好ましく、そのタブは、電源ボード１６上の装置（図示せず）を貫通する取付けねじ４４（図１参照）を受け、それで電源ボード１６を反射器ハウジング１２に固定するようになっているのが好ましい。他の実施例は、電源ボード１６を反射器ハウジング１２に設置し且つ固定するための追加または代替構造体を含むことができる。その代りに、電源ボード１６を反射器ハウジング１２から遠く離して位置付けることができ、その場合、反射器ハウジング１２は、それに電源ボード１６を取付けるための備えを何も含む必要がない。
【００１１】
反射器ハウジング１２は、対応するソケット（図示せず）を有するホスト装置、例えば、冷蔵庫またはその他の電気用品に常用灯１０を設置するのを容易にするために整列ピン２２を有する整列タブ２０を含むことができるが必要ではない。反射器ハウジング１２は、孔２４を有する取付けタブ２６を含むのが好ましい。取付けねじ（図示せず）を孔２４を通してホスト装置（図示せず）の対応する構造体（図示せず）に挿入して常用灯１０をそのようなホスト装置に固定することができる。その代りに、孔２４がホスト装置（図示せず）から突出するピン、取付けスタッド、またはその他の構造体（図示せず）を受け、当業者に知られているように、必要に応じて、追加の締結部品を使って、灯１０をそのようなホスト装置に固定することができる。
【００１２】
反射器ハウジング１２は、更に光源ボード１４をそれに位置付け且つ固定するための構造体を含むのが好ましい。例えば、反射器ハウジング１２は、一旦光源ボード１４（図２参照）を反射器ハウジング１２に組付けてしまうとその水平運動を阻止または抑制するために光源ボード１４の対応する切欠きまたは孔５４と係合する一つ以上の位置決めピン３６、並びに光源ボード１４を反射器ハウジング１２に固定するために一つ以上の保持フランジ４６および保持クリップ３４を含むことができる。もし、必要なら、光源ボード１４の交換を容易にするために、光源ボード１４を反射器ハウジング１２から容易に除去できるのが好ましい。
【００１３】
反射器ハウジング１２は、金属、プラスチック、レジンまたはその他の何か適当な材料で作ることができる。ハウジング１２は、耐熱材料、即ち、熱を受けたとき、特に長時間熱を受けたとき、軟化、脆化、および／または変色に対して抵抗力がある材料で作るのが好ましい。好適実施例では、反射器ハウジング１２を、上で議論したように、非常によく反射する表面をもたらす耐熱プラスチックまたはレジンで成形する。上に説明した種々の取付けタブ、ピン、および補強リブを反射器ハウジング１２と一体構造に成形するのが好ましいが、代替実施例では、それらを別の構造体にして後に反射器ハウジング１２に機械的またはその他の方法で結合することができる。
【００１４】
光源ボード１４は、何か適当な手段によって光源ボード１４に取付けた、多数の光源２８、好ましくは点光源を担持する、狭く、細長い構造体、好ましくはプリント基板として図示する。光源ボード１４の大きさおよび形状は、一般的に光源ボード１４を組付ける反射器ハウジング１２の領域の大きさおよび形状に対応する。光源２８は、発光ダイオードであるのが好ましいが、有機発光ダイオード、発光ポリマー、または他の適当な光源でもよい。光源２８は、電源ボード１６におよび／または互いに、以下に詳しく議論するように、所定の方法で電気的に接続してある。光源ボード１４がプリント基板である好適実施例では、この基板上の電気的線（図示せず）がそのような電気的接続をもたらすことができる。他の実施例では、ワイヤまたは他の適当な手段（図示せず）を使って光源２８を電源ボード１６におよび／または互いに電気的に接続することができる。
【００１５】
好適実施例で、光源２８は、例えば、図３Ａに示すように、光源ボード１４上に全体として直線の、円柱状装置に構成してある。代替実施例では、光源２８を光源ボード１４上に千鳥、平行、またはその他の適当な配列で２列以上に取付けることができる。光源ボード１４は、側壁４０に隣接する反射器ハウジング１２に組付けた単一ボードとして示してある。代替実施例では、二つ以上の光源ボード１４を一つまたは両方の側壁３８、４０に隣接して直線、平行、または千鳥配列で取付けることができる。
【００１６】
電源ボード１６は、電源、例えば、図６に概略的に図示する電源５０を担持する。電源５０は、入力端を適当な電力源、例えば、常用灯１０を設置できる電気用品のような装置を作動するために使う１２０Ｖ交流電力源に電気的に結合してある。電源５０は、出力端が光源２８に結合してある。電源ボード１６は、反射器ハウジング１２に取付けてあるのが好ましいが、上に説明したように、光源２８に電気的に結合した遠隔サブアセンブリとして具体化することもできる。
【００１７】
電源５０は、好ましくは電源５０の入力端に位置する感熱スイッチ５２を含むのが好ましい。感熱スイッチ５２は、所定の温度を超えたとき開き且つスイッチ温度がこの所定の温度以下のとき閉じるように構成してある（感熱スイッチ５２は、当業者が知っているように、設定点付近の温度でのチャタを防ぐために不感帯があるかも知れない）。感熱スイッチ５２は、従来のバイメタルスイッチ、または温度に基づいて電気回路を開閉するための何か適当な構造体として具体化することができる。感熱スイッチ５２は、半導体部品、例えば、好適実施例で光源２８を具現する発光ダイオードを、光源２８を長時間に亘って、特に高周囲温度状態で付勢するとき起るかも知れない温度過昇から保護する。そのような状態は、例えば、常用灯１０をオーブンに組込んだ場合に、特にこのオーブンの内面から堆積物を焼切るために極高温を使う、このオーブンの自己清浄サイクル中に起るかも知れない。
【００１８】
電源５０は、また、光源２８を電圧スパイクから保護するためにサージアブソーバ、例えば、金属酸化物バリスタ５６を含むのが好ましい。電源５０は、更に、光源２８への電流を制限するために、抵抗５８、６０、６２、６４のような、限流器を一つ以上含むのが好ましい。
【００１９】
図６の実施例で、電源５０は、ライン電圧で駆動される。他の実施例では、電源５０を他の電力源で駆動することができる。この好適実施例で、光源２８は、第１列６６の光源２８が電流を第１方向に導き、一方第２列６８の光源２８が電流を第２方向に導くように、直列接続装置の二つの電気的並行列６６、６８に配置した発光ダイオードである。ダイオード９４、９６は、光源２８を具現する発光ダイオードを過剰逆電圧から保護する。非自己整流光源２８を使う代替実施例では、ダイオード９４、９６が列６６、６８を通る電流を整流する役目もする。それで、各電気的列６６、６８の光源２８は、交流の各半サイクルの間だけ付勢する。この構成は、光源２８を付勢するために使うエネルギーの量を本質的に半分にし且つ通常動作中に光源２８が発生する熱の量をかなり減らす。この構成は、光源２８の有効寿命をかなり延すこともできる。更に、一つの列の電気的故障が一般的に他の列に影響しない。例えば、もし、一つの電気的列６６、６８の光源２８が切れて、その列の回路を開いても、他の列は影響されない。
【００２０】
前記の構成で、各電気的列６６、６８の光源２８は、毎秒３０回オン・オフする（６０Ｈｚのライン周波数を想定する）。人間の眼は、発生するフリッカを検出できる。このフリッカの影響を緩和するために、一般的に、通常動作中、隣接する光源のどれかの対の一つが何れかの与えられたときに付勢すると、この対の他がそのとき消勢するように、第１列６６に関連する光源２８を第２列６８に関連する光源と物理的に組み合せるのが好ましい。
【００２１】
光源２８の各電気的列６６、６８を１４の光源２８を含むように図６に示す。代替実施例では、そのような各列が１４を超える光源２８を含みまたは光源２８を一つしか含まないことができる。そのような実施例では、光源２８が、上述のように、フリッカの検出可能性を最小にするように構成してあるのが好ましい。また、代替実施例は、光源２８の二つを超えるまたは未満の電気的列を使うことができる。そのような実施例では、光源２８の偶数の電気的列を使うのが好ましい。
【００２２】
図７は、代替電源７０を概略的に示す。電源５０同様、電源７０は、入力端が電力源、例えば、１２０Ｖ交流源に、および出力端が光源２８に電気的に結合してある。電源７０は、電源６０の類似の部品に匹敵する機能を果す、感熱スイッチ７２、金属酸化物バリスタ７４、および限流抵抗７６、７８を含むのが好ましい。
【００２３】
電源５０と違って、電源７０は、更に、過渡電圧抑制器８６、全波整流器８０、フィルタコンデンサ８８、直列接続光源２８の第１および第２平行列９０、９２の入力、並びに第１および第２定電流源８２、８４へ直流出力を供給する、全波整流器８０を含む。過渡電圧抑制器８６は、当業者に知られているように、整流器８０の出力電圧を所定の最大電圧に抑制する。フィルタコンデンサ８８は、全波整流器８０の出力での出力電圧変動を平滑化し、光源２８へ全負荷電流を供給する。第１および第２定電流源回路８２、８４は、直列接続光源２８の第１および第２列９０、９２を通る電流を調整する。従って、光源２８は、一般的に電源７０への入力電圧の変動から保護され、それらは一定輝度で作動する。
【００２４】
第１および第２定電流源８２、８４は、当業者に知られているように、任意の適当な形に具体化できる。図７の実施例では、各定電流源８２、８４が整流器８０の出力に並びにトランジスタ１０２Ａ−Ｂのベースに、コンデンサ１０４Ａ−Ｂに、ツェナーダイオード１１０Ａ−Ｂに、および可調整電圧調整器１０６Ａ−Ｂのカソードに結合した、直列結合の抵抗９８Ａ−Ｂ、１００Ａ−Ｂを含む。トランジスタ１０２Ａ−Ｂのエミッタは、可調整電圧調整器１０６Ａ−Ｂの入力端子および抵抗１０８Ａ−Ｂに結合してある。光源２８を通る定電流は、抵抗１０８Ａ−Ｂでの電圧降下を制御することによって確立する。抵抗１０８Ａ−Ｂ、可調整電圧調整器１０６Ａ−Ｂのアノード、ツェナーダイオード１１０Ａ−Ｂ、およびコンデンサ１０４Ａ−Ｂは、アースに結合してある。
【００２５】
光源２８の各電気的列９０、９２を１４の光源２８を含むように図７に示す。代替実施例では、そのような各列が１４を超える光源２８を含みまたは光源２８を一つしか含まないことができる。また、代替実施例は、光源２８の二つを超えるまたは未満の電気的列を使うことができる。そのような実施例では、光源２８の各そのような電気的列に対応する定電流源を提供することが好ましい。
【００２６】
電源５０は、一般的に電源７０より低コストで制作でき、それで低コスト用途に好ましい。電源７０は、電源５０より複雑で製造が高価であるが、光源２８の低温度動作を可能にし、且つ光源２８の輝度が入力電圧で変動しないので、追加のコストを許容できる用途に好ましい。
【００２７】
図面に既述する抵抗、コンデンサ等の値は、代表的であって、本発明の範囲を限定すると考えるべきでない。当業者は、ここに開示したこの発明の実施例に以下の請求項の範囲から逸脱することなく多くの修正を施すことを知っているだろう。
【図面の簡単な説明】
【００２８】
【図１】この発明の好適実施例による装置の平面図である。
【図２】図１に示す装置の正面図である。
【図３Ａ】図１に示す装置の斜視図である。
【図３Ｂ】図１に示す装置の一部の斜視図である。
【図３Ｃ】図１に示す装置の一部の代替実施例の斜視図である。
【図４】図１に示す装置の断面図である。
【図５】図１に示す装置の第２断面図である。
【図６】図１に示す装置に対応する配線図である。
【図７】図１に示す装置に対応する配線図である。
【図１】
2008503068.tif 000003
【図２】
2008503068.tif 000004
【図３Ａ】
2008503068.tif 000005
【図３Ｂ】
2008503068.tif 000006
【図３Ｃ】
2008503068.tif 000007
【図４】
2008503068.tif 000008
【図５】
2008503068.tif 000009
【図６】
2008503068.tif 000010
【図７】
2008503068.tif 000011
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
照明装置であって、
第１側壁、第２側壁、第１端、第２端、および開放前部を有する細長いチャンネルを含み、少なくとも一つの空洞を形成する反射器ハウジング、
前記反射器ハウジングと作動するように関連する複数の点発光源にして、前記点発光源の少なくとも一つが前記反射器ハウジングの長さに沿って前記第１端と前記第２端の間の所定の位置に位置し、前記反射器ハウジングが前記複数の点発光源の出した光を反射する発光源、および
前記点発光源に電気的に結合した電源を含む装置。
【請求項２】
請求項１に記載の装置に於いて、前記反射器が複数の空洞を形成する装置。
【請求項３】
請求項２に記載の装置に於いて、少なくとも一つの点発光源が前記空洞の各々と作動するように関連する装置。
【請求項４】
請求項１に記載の装置に於いて、前記反射器ハウジングが実質的に放物線形の断面を有するチャンネルを形成する装置。
【請求項５】
請求項１に記載の装置に於いて、前記複数の点発光源の各々が半導体光源を含む装置。
【請求項６】
請求項５に記載の装置に於いて、前記半導体光源の各々が発光ダイオードを含む装置。
【請求項７】
請求項１に記載の装置に於いて、前記複数の点発光源が光源の列として配置してある装置。
【請求項８】
請求項１に記載の装置に於いて、前記複数の点発光源が光源の行および列のアレイとして配置してある装置。
【請求項９】
請求項７に記載の装置に於いて、前記光源が電気的に直列に結合してある装置。
【請求項１０】
請求項１に記載の装置に於いて、整流器が前記複数の点発光源と電気的に直列に結合してある装置。
【請求項１１】
請求項１０に記載の装置に於いて、前記整流器がダイオードを含む装置。
【請求項１２】
請求項１に記載の装置に於いて、前記電源が過渡電圧抑制器に電気的に結合した少なくとも一つの抵抗を含む装置。
【請求項１３】
請求項１１に記載の装置に於いて、前記電源が更に熱的保護装置を含む装置。
【請求項１４】
請求項１３に記載の装置に於いて、前記点発光源は、前記点発光源の各々が前記装置に供給される交流電力の交互半サイクルの間付勢するように構成してある装置。
【請求項１５】
請求項１４に記載の装置に於いて、前記点発光源は、隣接する点発光源の対の一方が前記装置に供給される交流電力の交互半サイクルの間付勢しおよび前記隣接する点発光源の対の他方が前記装置に供給される交流電力の前記半サイクルの間付勢しないように構成してある装置。
【請求項１６】
請求項１に記載の装置に於いて、前記点発光源は、前記点発光源の各々が前記装置に供給される交流電力の交互半サイクルの間付勢するように構成してある装置。
【請求項１７】
請求１６項に記載の装置に於いて、前記点発光源は、隣接する点発光源の対の一方が上記装置に供給される交流電力の交互半サイクルの間付勢し、そして、前記隣接する点発光源の対の他方が前記装置に供給される交流電力の前記半サイクルの間付勢しないように構成してある装置。
【請求項１８】
請求項１に記載の装置に於いて、前記装置が電気用品の一部を含む装置。
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
照明装置であって、 
第１側壁、第２側壁、第１端、第２端、後部および開放前部を有する細長いチャンネルを含み、少なくとも一つの空洞を形成する反射器ハウジング、
前記反射器ハウジングの前記開放前部に近接する前記第１側壁および前記第２側壁の少なくとも一つに結合した複数の点発光源にして、前記点発光源の少なくとも一つが前記反射器ハウジングの長さに沿って前記第１端と前記第２端の間の所定の位置に位置する発光源、および
前記点発光源に電気的に結合した電源を含む装置。
【請求項２】
請求項１に記載の装置に於いて、前記反射器が複数の空洞を形成する装置。
【請求項３】
請求項２に記載の装置に於いて、少なくとも一つの点発光源が前記空洞の各々と作動するように関連する装置。
【請求項４】
請求項１に記載の装置に於いて、前記反射器ハウジングが実質的に放物線形の断面を有するチャンネルを形成する装置。
【請求項５】
請求項１に記載の装置に於いて、前記複数の点発光源の各々が半導体光源を含む装置。
【請求項６】
請求項５に記載の装置に於いて、前記半導体光源の各々が発光ダイオードを含む装置。
【請求項７】
請求項１に記載の装置に於いて、前記複数の点発光源が光源の列として配置してある装置。
【請求項８】
請求項１に記載の装置に於いて、前記複数の点発光源が光源の行および列のアレイとして配置してある装置。
【請求項９】
請求項７に記載の装置に於いて、前記点発光源が電気的に直列に結合してある装置。
【請求項１０】
請求項１に記載の装置に於いて、整流器が前記複数の点発光源と電気的に直列に結合してある装置。
【請求項１１】
請求項１０に記載の装置に於いて、前記整流器がダイオードを含む装置。
【請求項１２】
請求項１に記載の装置に於いて、前記電源が過渡電圧抑制器に電気的に結合した少なくとも一つの抵抗を含む装置。
【請求項１３】
請求項１１に記載の装置に於いて、前記電源が更に熱的保護装置を含む装置。
【請求項１４】
請求項１３に記載の装置に於いて、前記点発光源は、前記点発光源の各々が前記装置に供給される交流電力の交互半サイクルの間付勢するように構成してある装置。
【請求項１５】
請求項１４に記載の装置に於いて、前記点発光源は、隣接する点発光源の対の一方が前記装置に供給される交流電力の交互半サイクルの間付勢しおよび前記隣接する点発光源の対の他方が前記装置に供給される交流電力の前記半サイクルの間付勢しないように構成してある装置。
【請求項１６】
請求項１に記載の装置に於いて、前記点発光源は、前記点発光源の各々が前記装置に供給される交流電力の交互半サイクルの間付勢するように構成してある装置。
【請求項１７】
請求１６項に記載の装置に於いて、前記点発光源は、隣接する点発光源の対の一方が上記装置に供給される交流電力の交互半サイクルの間付勢し、そして、前記隣接する点発光源の対の他方が前記装置に供給される交流電力の前記半サイクルの間付勢しないように構成してある装置。
【請求項１８】
請求項１に記載の装置に於いて、前記装置が電気用品の一部を含む装置。
【請求項１９】
請求項１に記載の装置に於いて、前記複数の点発光源は、前記複数の点発光源から直接出る光が実質的に前記空洞の前記第１側壁、前記第２側壁、および前記後部の一つ以上の方に向けられ、且つ実質的に前記空洞の前記開放前部の方に向けられないように配置してある装置。
【請求項２０】
請求項１に記載の装置に於いて、前記複数の点発光源の少なくとも一部が第１光源ボードに取付けてあり、前記第１光源ボードが前記第１側壁および前記第２側壁の一つに結合してある装置。
【請求項２１】
請求項２０に記載の装置に於いて、前記複数の点発光源の少なくとも一部が第２光源ボードに取付けてあり、前記第２光源ボードが前記第１側壁および前記第２側壁の他に結合してある装置。
【請求項２２】
請求項１に記載の装置に於いて、前記複数の点発光源は、前記複数の点発光源の前記各々が前記チャンネルの中心線からオフセットするように前記反射器ハウジングに結合してある装置。
【請求項２３】
請求項１４に記載の装置に於いて、前記熱的保護装置が感熱スイッチである装置。
【手続補正２】
【補正対象書類名】明細書
【補正対象項目名】０００８
【補正方法】変更
【補正の内容】
【０００８】
図１ないし図５および図５Ａは、三つの主なサブコンポーネントまたはサブアセンブリ、即ち、反射器ハウジング１２、光源ボード１４，および電源ボード１６を含む、本発明による常用灯１０の好適実施例を示す。図６および図７は、常用灯１０に関して使用するための好適な電源装置を概略的に図示する。
【手続補正３】
【補正対象書類名】明細書
【補正対象項目名】００１１
【補正方法】変更
【補正の内容】
【００１１】
反射器ハウジング１２は、対応するソケット（図示せず）を有するホスト装置、例えば、冷蔵庫またはその他の電気用品に常用灯１０を設置するのを容易にするために整列ピン２２を有する整列タブ２０を含むことができるが必要ではない。反射器ハウジング１２は、孔２４を有する取付けタブ２６を含むのが好ましい。取付けねじ２５を孔２４を通してホスト装置８の対応する構造体（図示せず）に挿入して常用灯１０をそのようなホスト装置に固定することができる。その代りに、孔２４がホスト装置から突出するピン、取付けスタッド、またはその他の構造体（図示せず）を受け、当業者に知られているように、必要に応じて、追加の締結部品を使って、灯１０をそのようなホスト装置に固定することができる。
【手続補正４】
【補正対象書類名】明細書
【補正対象項目名】００１５
【補正方法】変更
【補正の内容】
【００１５】
好適実施例で、光源２８は、例えば、図３Ａに示すように、光源ボード１４上に全体として直線の、円柱状装置に構成してある。代替実施例では、光源２８を光源ボード１４上に千鳥、平行、またはその他の適当な配列で２列以上に取付けることができる。光源ボード１４は、例えば図３Ａにおいて、側壁４０に隣接する反射器ハウジング１２に組付けた単一ボードとして示してある。代替実施例では、二つ以上の光源ボード１４を一つまたは両方の側壁３８、４０に隣接して直線、平行、または千鳥配列で取付けることができる。例えば、図５Ａを参照。
【手続補正５】
【補正対象書類名】明細書
【補正対象項目名】００２８
【補正方法】変更
【補正の内容】
【００２８】
【図１】この発明の好適実施例による装置の平面図である。
【図２】ホスト装置に組み込まれた図１に示す装置の正面図である。
【図３Ａ】図１に示す装置の斜視図である。
【図３Ｂ】図１に示す装置の一部の斜視図である。
【図３Ｃ】図１に示す装置の一部の代替実施例の斜視図である。
【図４】図１に示す装置の断面図である。
【図５】図１に示す装置の第２断面図である。
【図５Ａ】図１に示す装置の代替実施例の断面図である。
【図６】図１に示す装置に対応する配線図である。
【図７】図１に示す装置に対応する配線図である。
【手続補正６】
【補正対象書類名】図面
【補正対象項目名】図２
【補正方法】変更
【補正の内容】
【図２】
2008503068.tif 000012
【手続補正７】
【補正対象書類名】図面
【補正対象項目名】図５Ａ
【補正方法】追加
【補正の内容】
【図５Ａ】
2008503068.tif 000013
【国際調査報告】
2008503068.tif 000014
2008503068.tif 000015
2008503068.tif 000016